(57)【要約】      （修正有）【課題】カードのメインテーマを強調してカードを受け取る側に伝えることができ、且つカード本体を送る際のペーパーフラワーの型崩れを防ぐ。【解決手段】一連の表紙台紙と内容台紙を重ね合わせて二つ折りにして表表紙部と裏表紙部及び内容ページを形成し、内容台紙の折り曲げ部には綴じ紐を通し、綴じ紐の両端部で表表紙部の中央にリボン状の結び部を形成し、更に表表紙部の中央に表示されたカードのメインテーマ表示部の周囲にはペーパーフラワー８，…で構成された環状装飾部を設けたカード本体１と、一端部一側側に切り込み11を設け、他端部他側側に所定間隔で切り込み12a,12b,12c,12d,12eを形成した透明プラスチック製帯状片13で構成された環状装飾部の周囲を囲む型崩れ保護カバー10とからなる冊子状グリーティングカード。【選択図】図３
0003116607.tif 000002
【実用新案登録請求の範囲】
【請求項１】
一連の表紙台紙と１又は２以上の内容台紙を重ね合わせて二つ折りにして表表紙部と裏表紙部及び該表表紙部と裏表紙部の間に二つ折りにした内容台紙によりそれぞれの内容ページを形成し、上記最内層の内容台紙の折り曲げ部には綴じ紐を通し、該綴じ紐の両端部で上記表表紙部の中央にリボン状の結び部を形成し、更に上記表表紙部の中央に表示されたメインテーマ表示部の周囲にはペーパーフラワーで構成された環状装飾部を設けたカード本体と、上記装飾部の周囲を囲む型崩れ保護カバーとからなる冊子状グリーティングカード。
【請求項２】
型崩れ保護カバーが一端部の一側側に切り込みを設け、他端部の他側側に所定間隔で複数の切り込みを形成した帯状片で構成された請求項１記載の冊子状グリーティングカードカード。
【考案の詳細な説明】
【技術分野】
【０００１】
この考案は、冊子状グリーティングカードに関するものである。
【背景技術】
【０００２】
グリーティングカードは、クリスマス、正月、バレンタインデーなどの季節の挨拶、誕生、卒業、就職、結婚などの各種記念の祝意を表す手段として、或いは結婚式への招待などに盛んに用いられている。
【０００３】
また、冊子状のグリーティングカードとしては、一連の表紙台紙と１又は２以上の内容台紙を重ね合わせて二つ折りにして表表紙部と裏表紙部及び該表表紙部と裏表紙部の間に二つ折りにした内容台紙によりそれぞれの内容ページを形成し、上記最内層の内容台紙の折り曲げ部には綴じ紐を通し、その両端を結んで冊子状にしたものが市販されている。
【０００４】
これらの冊子状グリーティングカードの表表紙部の中央には、グリーティングカードが結婚式招待状であれば「ウエディングインビテーション」、或いはグリーティングカードが誕生日お祝いカードであれば「ハッピーバースデー」等のグリーティングカードのメインテーマが表示され、内容ページには具体的な内容等を記載して招待者或いは誕生日をお祝いする人等に送るものである。
【０００５】
また、これらのカードをオリジナルカードとして趣向を凝らしたものも知られている。
【特許文献１】特開2002-144778、特開2004-9519、実用新案登録第3108928号
【考案の開示】
【考案が解決しようとする課題】
【０００６】
しかし、これらの冊子状グリーティングカードの表表紙部の中央に表示されるカードのメインテーマはカードを送る側の感情が込められた最も重要な箇所であるが、従来これらカードのメインテーマは単にプリントされて表示されるだけで、カードを受け取る側に強い印象を与えるものではなかった。
【課題を解決するための手段】
【０００７】
そこで、この考案は上記実情に鑑み、一連の表紙台紙と１又は２以上の内容台紙を重ね合わせて二つ折りにして表表紙部と裏表紙部及び該表表紙部と裏表紙部の間に二つ折りにした内容台紙によりそれぞれの内容ページを形成し、上記最内層の内容台紙の折り曲げ部には綴じ紐を通し、該綴じ紐の両端部で上記表表紙部の中央にリボン状の結び部を形成し、更に上記表表紙部の中央に表示されたメインテーマ表示部の周囲にはペーパーフラワーで構成された環状装飾部を設けたカード本体と、上記装飾部の周囲を囲む型崩れ保護カバーとからなる冊子状グリーティングカードを提案するものである。
【０００８】
即ち、この考案では冊子状カード本体は最内層の内容台紙の折り曲げ部には綴じ紐を通し、該綴じ紐の両端部で上記表表紙部の中央にリボン状の結び部を形成し、且つ表表紙部の中央に表示されたメインテーマ表示部の周囲にはペーパーフラワーで構成された環状装飾部が設けられているため、カードのメインテーマが強調され、カードを受け取る側に強い印象を与えることができる。
【０００９】
なお、カード本体を封筒等に入れて送る際に環状装飾部を構成するペーパーフラワーは押し潰されて型崩れする虞があるが、この考案では上記装飾部の周囲に型崩れ保護カバーを設けることにより冊子状カード本体を送る際のペーパーフラワーの型崩れを防ぐことができる。
【００１０】
なお、型崩れ保護カバーを一端部の一側側に切り込みを設け、他端部の他側側に所定間隔で複数の切り込みを形成した厚紙製或いはプラスチック製の帯状片で構成し、且つ一端部一側側に設けた切り込みを他端部他側側に設けられた複数の切り込みのうち適当な切り込みに嵌め込むことにより上記環状装飾部の径に応じて任意の径の保護カバーを形成することができる。
【００１１】
なお、上記帯状片を透明プラスチック材質で構成すれば、保護カバーを付けた状態で外部より環状装飾部を透視することができる。
【考案の効果】
【００１２】
以上要するに、この考案によれば表表紙部の中央に表示されたメインテーマ表示部の周囲にペーパーフラワーにより構成される環状装飾部を配列することにより、カードのメインテーマが強調され、カードを受け取る側に強い印象を与えることができる。
【００１３】
また、この考案によれば装飾部の周囲に型崩れ保護カバーを設けることにより冊子状カード本体を送る際のペーパーフラワーの型崩れを防ぐことができる。
【考案を実施するための最良の形態】
【００１４】
一連の表紙台紙と１又は２以上の内容台紙を重ね合わせて二つ折りにして表表紙部と裏表紙部及び該表表紙部と裏表紙部の間に二つ折りにした内容台紙によりそれぞれの内容ページを形成し、上記最内層の内容台紙の折り曲げ部には綴じ紐を通し、該綴じ紐の両端部で上記表表紙部の中央にリボン状の結び部を形成し、更に上記表表紙部の中央に表示されたメインテーマ表示部の周囲にはペーパーフラワーで構成された環状装飾部を設けたカード本体と、一端部の一側側に切り込みを設け、他端部の他側側に所定間隔で複数の切り込みを形成した帯状片で構成された上記装飾部の周囲を囲む型崩れ保護カバーとからなる冊子状グリーティングカード。
【実施例１】
【００１５】
以下、図示の実施例に基づいてこの考案を詳細に説明すると、１は結婚式招待状である冊子状カード本体で、冊子状カード本体１は一連の表紙台紙２と内容台紙３を重ね合わせて二つ折りにして表表紙部2aと裏表紙部2b及び表表紙部2aと裏表紙部2bの間に二つ折りにした内容台紙３によりそれぞれの内容ページ3a,3bを形成し、内容台紙３の折り曲げ部４には綴じ紐５を通し、綴じ紐５の両端部で表表紙部2aの中央にリボン状の結び部６を形成して構成される。
【００１６】
更に表表紙部2aの中央には「ウエディングインビテーション」等の表示されたメインテーマ表示部７が設けられ、表示部７の周囲にはペーパーフラワー８、…で構成された一重の環状装飾部９が設けられる。
【００１７】
10は環状装飾部９を構成するペーパーフラワー８、…の型崩れ保護カバーであって、保護カバー10はその一端部一側側に切り込み11を設け、他端部他側側に所定間隔で複数の切り込み12a,12b,12c,12d,12eを形成した透明プラスチック製帯状片13で構成される。
【００１８】
以上のような構成において、この考案ではメインテーマ表示部７の周囲にはペーパーフラワー８，…で構成された環状装飾部９が設けられているため、表示部７に表示された「ウエディングインビテーション」の表示が強調され、カードを受け取る側に強い印象を与えることができる。
【００１９】
一方、結婚式招待状１を封筒に入れて送る場合には、保護カバー10で環状装飾部９の周囲を囲んで封筒に入れて郵送することにより郵送中のペーパーフラワー８，…の型崩れを防ぐことができる。
【００２０】
なお、この実施例では型崩れ保護カバー10は一端部一側側に切り込み11を設け、他端部他側側に所定間隔で切り込み12,…を形成した透明プラスチック製帯状片13で構成されているため、一端部一側側に設けた切り込み11を他端部他側側に設けられた切り込み12a,12b,12c,12d,12eのうち適当な切り込みに嵌め込むことにより環状装飾部９の径に応じて任意の径の保護カバー10を形成することができる。
【００２１】
なお、この実施例では環状装飾部９を一重にした例について説明したが、勿論環状装飾部９は一重のものに限定されるものでなく、二重又はそれ以上の多重のものでもよい。
【産業上の利用可能性】
【００２２】
以上要するに、この考案によれば表表紙部の中央に設けられたメインテーマ表示部の周囲がペーパーフラワーにより構成される環状装飾部に囲まれているため、カードのメインテーマが強調され、カードを受け取る側に強い印象を与えることができ、且つ装飾部の周囲に型崩れ保護カバーを設けることにより冊子状カード本体を送る際のペーパーフラワーの型崩れを防ぐことができる。
【図面の簡単な説明】
【００２３】
【図１】この考案に係わる冊子状グリーティングカードの一実施例を示す斜視図
【図２】同上の冊子状グリーティングカードを半開きにした状態の斜視図
【図３】同上の冊子状グリーティングカードの環状装飾部の周囲を型崩れ保護カバーで囲む状態を示すもので、（ａ）は保護カバーの展開図、（ｂ）は保護カバーを環状にした状態図、（ｃ）は環状にした保護カバーで環状装飾部の周囲を囲む状態を示す図
【符号の説明】
【００２４】
１は結婚式招待状である冊子状カード本体
２は一連の表紙台紙
３は一連の内容台紙
2a,2bは表表紙部，裏表紙部
3a,3bは内容ページ
４は内容台紙３の折り曲げ部
５は綴じ紐
６はリボン状の結び部
７はカードのメインテーマ表示部
８,…はペーパーフラワー
９は環状装飾部
10は型崩れ保護カバー
11はその一端部一側側に設けられた切り込み
12a,12b,12c,12d,12eは他端部他側側に所定間隔で設けられた切り込み
13は透明プラスチック製帯状片
【図１】
0003116607.tif 000003
【図２】
0003116607.tif 000004
【図３】
0003116607.tif 000005